(57)【要約】      （修正有）【課題】停電に関する情報をオペレータまたはディスパッチャに提供するインフラストラクチャシステムの管理をする方法を提供する。【解決手段】システムは、複数のクライアント５６と接続するように構成された物理サーバ５２を含む。物理サーバはさらに、通信システムを介して、複数のクライアントに会議電話をかけることをオペレータシステム５７に可能にさせ、スマートグリッドシステムについてのステータスアップデート５８を送受信することを複数のクライアントに可能にさせる、アプリケーションプログラミングインターフェース（ＡＰＩ）５９を提供するように構成される。物理サーバはまた、複数のクライアントのうちの接続されたクライアント間の通話ステータスを監視し、接続されたクライアントにグローバル状態アップデート６２をブロードキャストするように構成される。【選択図】図３
2015233278.tif 000002
【特許請求の範囲】
【請求項１】
通信システムに動作可能に結合されるように構成された物理サーバ（５２）を備えるシステムであって、前記物理サーバ（５２）は、
複数のクライアント（５６）と接続し、
前記通信システムを介して互いに通信可能に結合することを前記複数のクライアント（５６）に可能にさせるための、アプリケーションプログラミングインタフェース（ＡＰＩ）（５９）を提供し、
前記複数のクライアント（５６）に会議電話をかけることをオペレータシステム（５７）に可能にさせるための、前記ＡＰＩ（５９）を提供し、
前記通信システムを介してスマートグリッドシステム（１０）についてのステータスアップデート（５８）を送受信することを前記複数のクライアント（５６）に可能にさせるための、前記ＡＰＩ（５９）を提供し、
前記複数のクライアント（５６）のうちの接続されたクライアント（５６）間の通話の状態を監視し、
前記接続されたクライアント（５６）にグローバル状態アップデート（６２）をブロードキャストするように構成される、システム。
【請求項２】
前記複数のクライアント（５６）の各々は、プロセッサを備え、前記プロセッサは、
前記スマートグリッドシステム（１０）の現在の状態を表示し、前記現在の状態を表示することは、少なくとも１つの解消されていない問題を表示することを備え、
前記少なくとも１つの解消されていない問題のユーザ選択を受信し、
データのセットに基づいて人的資源の第１のリストを前記物理サーバ（５２）から受信し、前記人的資源は、前記少なくとも１つの解消されていない問題を解消することができ、
前記データのセットに基づいて物理資源の第２のリストを前記物理サーバ（５２）から受信し、前記物理資源は、前記少なくとも１つの解消されていない問題を解消するために使用されることができ、
前記人的資源の第１のリストにおける前記人的資源の各々についての通信アクションを表示し、
前記表示された通信アクションを使用して前記人的資源の少なくとも１人と通信するためのユーザ要求を受信し、
前記人的資源の前記少なくとも１人に属するクライアント（５６）に通信可能に結合するために前記ＡＰＩ（５９）を利用するように構成される、請求項１に記載のシステム。
【請求項３】
前記データのセットは、前記少なくとも１つの解消されていない問題、前記少なくとも１つの解消されていない問題の場所、前記少なくとも１つの解消されていない問題のタイムスタンプ、前記少なくとも１つの解消されていない問題の影響、前記人的資源の少なくとも１人の専門知識要件、前記人的資源についての割り当て、前記物理資源、またはそれらの組み合わせを備える、請求項２に記載のシステム。
【請求項４】
前記現在の状態を表示することはさらに、前記スマートグリッドシステム（１０）の地理学的ビューを表示することを備える、請求項２に記載のシステム。
【請求項５】
前記通信アクションは、電話会議通話、テレビ会議通話、ショートメッセージングサービスメッセージ、電子メール、チャットメッセージ、掲示板への投稿、フォーラムへの投稿、またはそれらの組み合わせを備える、請求項２に記載のシステム。
【請求項６】
前記物理サーバ（５２）はさらに、前記グローバル状態アップデート（６２）に基づいて前記会議電話のための連絡先リスト（７１）を導出するように構成される、請求項１に記載のシステム。
【請求項７】
前記グローバル状態アップデート（６２）は、
前記物理サーバ（５２）を含む、前記システム内の複数の物理サーバ（５２）のリスト、
複数のユーザおよび前記複数のユーザの各々のログインステータスの第１のリスト、
複数のユーザおよび前記複数のユーザの各々についての通信アクションの第２のリスト、
通信アクションのログ、または
それらの組み合わせを備える、請求項１に記載のシステム。
【請求項８】
前記オペレータシステム（５７）は、前記スマートグリッドシステム（１０）の現在の状態を表示するように構成され、前記スマートグリッドシステム（１０）の現在の状態の表示は、
前記スマートグリッドシステム（１０）の視覚表現を備える地図ビューと、
前記スマートグリッドシステム（１０）に関連する連絡先リスト（７１）を備える連絡先リストビューとを備える、請求項１に記載のシステム。
【請求項９】
前記オペレータシステム（５７）、前記複数のクライアント（５６）の少なくとも１つ、またはそれらの組み合わせが、前記スマートグリッドシステム（１０）に影響を及ぼす問題を有する地理的エリアの地図ビューを表示するように構成され、前記地図ビューは、前記問題によって影響を及ぼされる顧客の数を表す幾何学的形状を備える、請求項１に記載のシステム。
【請求項１０】
前記地図ビューが、前記スマートグリッドシステム（１０）に影響を及ぼす前記問題に関連する異なる情報をズームレベルに基づいて提示するように構成されたセマンティックズームを備える、請求項９に記載のシステム。
【請求項１１】
インフラストラクチャシステムに含まれる通信システムと、少なくとも１つのクライアント（５６）と、データベースリポジトリとに動作可能に結合するように構成された物理サーバ（５２）を備えるシステムであって、前記物理サーバ（５２）は、
前記通信システムを介して前記少なくとも１つのクライアント（５６）に会議サービスを提供し、
前記通信システムから前記インフラストラクチャシステムの第１のステータスアップデート（５８）を受信し、
前記少なくとも１つのクライアント（５６）から前記インフラストラクチャシステムの第２のステータスアップデート（５８）を受信し、
前記第１のステータスアップデート（５８）および前記第２のステータスアップデート（５８）を前記データベースリポジトリに送信するように構成され、
前記データベースリポジトリは、
前記第１のステータスアップデート（５８）および前記第２のステータスアップデート（５８）に基づいて前記インフラストラクチャシステムのグローバル状態をアップデートし、
前記グローバル状態アップデート（６２）を第２のデータベースリポジトリに送信し、
前記グローバル状態アップデート（６２）を前記物理サーバ（５２）に送信するように構成され、
前記少なくとも１つのクライアント（５６）は、
前記インフラストラクチャシステムの状態を表示し、
複数のユーザおよび前記複数のユーザの各々についてのユーザステータスを表示し、前記複数のユーザの各々についての前記ユーザステータスは、それぞれのユーザについてのログインステータス、前記それぞれのユーザに関連づけられた通信アクションのリスト、またはそれらの組み合わせを備え、
前記物理サーバ（５２）から前記グローバル状態アップデート（６２）を受信し、
前記グローバル状態アップデート（６２）に基づいて、前記インフラストラクチャシステムの前記状態の前記表示と、前記複数のユーザおよび前記複数のユーザの各々についての前記ユーザステータスの前記表示とを変化させ、
別のクライアント（５６）に通信可能に結合するように構成される、システム。
【請求項１２】
前記第１のステータスアップデート（５８）および前記第２のステータスアップデート（５８）は、第１の通信アクション、第２の通信アクションのコンテンツ、またはそれらの組み合わせを備える、請求項１１に記載のシステム。
【請求項１３】
前記第１の通信アクションおよび前記第２の通信アクションは、電話会議通話、テレビ会議通話、ショートメッセージングサービスメッセージ、電子メール、ボイスメール、チャットメッセージ、掲示板への投稿、フォーラムへの投稿、またはそれらの組み合わせを備える、請求項１２に記載のシステム。
【請求項１４】
前記グローバル状態アップデート（６２）は、
前記物理サーバ（５２）を含む、前記システム内の複数の物理サーバ（５２）のリスト、
複数のユーザおよび前記複数のユーザの各々のログインステータスの第１のリスト、
複数のユーザおよび前記複数のユーザの各々についての通信アクションの第２のリスト、
通信アクションのログ、または
それらの組み合わせを備える、請求項１１に記載のシステム。
【請求項１５】
前記物理サーバ（５２）を有する、配電管理システム（４０）、停電管理システム（３８）、またはそれらの組み合わせを備える、請求項１１に記載のシステム。
【請求項１６】
前記少なくとも１つのクライアント（５６）は、モバイルデバイス、携帯電話、タブレット、ノートブック、ラップトップ、パーソナルコンピュータ、またはそれらの組み合わせを備える、請求項１１に記載のシステム。
【請求項１７】
前記インフラストラクチャシステムは、スマートグリッドシステム（１０）、クラウドコンピューティングシステム、空港インフラストラクチャシステム、輸送インフラストラクチャシステム、または電気通信インフラストラクチャシステムを備える、請求項１１に記載のシステム。
【請求項１８】
複数のクライアント（５６）と接続することと、
通信システムを介して互いに通信可能に結合することを前記複数のクライアント（５６）に可能にさせるための、アプリケーションプログラミングインタフェース（ＡＰＩ）（５９）を提供することと、
前記複数のクライアント（５６）に会議電話をかけることを前記複数のクライアント（５６）に可能にさせるための、前記ＡＰＩ（５９）を提供することと、
前記通信システムを介してスマートグリッドインフラストラクチャシステムについてのステータスアップデート（５８）を送受信することを前記複数のクライアントに可能にさせるための、前記ＡＰＩ（５９）を提供することと、
前記複数のクライアント（５６）のうちの接続されたクライアント（５６）間の通話の状態を監視することと、
前記接続されたクライアント（５６）にグローバル状態アップデート（６２）をブロードキャストすることとを備える、方法。
【請求項１９】
前記複数のクライアント（５６）によって実行される各々の通信アクションと各々の通信アクションのコンテンツとをログ記録することと、通信アクション、前記通信アクションのコンテンツ、またはそれらの組み合わせを複数のタグの少なくとも１つに関連づけることとをさらに備える、請求項１８に記載の方法。
【請求項２０】
前記複数のタグは、問題、前記問題の場所、前記問題のタイムスタンプ、イベント、前記イベントの場所、前記イベントのタイムスタンプ、作業員の専門知識要件、作業員の割り当て、使用される機器、通信アクション、キーワード、ユーザ、またはそれらの組み合わせを備える、請求項１９に記載の方法。
【発明の詳細な説明】
【技術分野】
【０００１】
本明細書において開示される主題は、インフラストラクチャシステムを管理することに関する。具体的には、以下に説明される主題は、インフラストラクチャシステムを分析し、問題に対応するための管理システムに関する。
【背景技術】
【０００２】
会社は、さまざまな管理システムを使用してインフラストラクチャシステムを監視する。たとえば、ユーティリティ会社は、配電管理システム（ＤＭＳ）または停電管理システム（ＯＭＳ）を使用して会社のユーティリティインフラストラクチャシステムを監視し得る。管理システムは、サービスを受ける顧客の数、１時間あたりに生産および消費されるエネルギーの量、解消されていない問題の数、メンテナンススケジュール、インフラストラクチャシステムのセクションおよびサブセクションの状態、等といった、インフラストラクチャシステムの状態に関するさまざまなデータを、オペレータまたはディスパッチャに提供し得る。停電管理システムは、報告された停電に関する情報をオペレータまたはディスパッチャに提供し得る。インフラストラクチャシステムの管理を改善することは有益であろう。
【発明の概要】
【０００３】
当初特許請求された発明と範囲において対応するある特定の実施形態が、以下に要約される。これらの実施形態は、特許請求された発明の範囲を限定するように意図されたものではなく、むしろこれらの実施形態は、本発明の可能な形態の簡単な概要を提供するようにのみ意図されている。実際、本発明は、以下に説明される実施形態と同様であるかまたは異なり得る、さまざまな形態を包含し得る。
【０００４】
第１の実施形態において、システムは、通信システムに動作可能に結合され、複数のクライアントと接続するように構成された、物理サーバを含む。物理サーバはさらに、通信システムを介して互いに通信可能に結合することを複数のクライアントに可能にさせ、複数のクライアントに会議電話をかけることをオペレータシステムに可能にさせ、通信システムを介してスマートグリッドシステムについてのステータスアップデートを送受信することを複数のクライアントに可能にさせる、アプリケーションプログラミングインターフェース（ＡＰＩ）を提供するように構成される。物理サーバはまた、複数のクライアントのうちの接続されたクライアント間の通話ステータスを監視し、接続されたクライアントにグローバル状態アップデートをブロードキャストするように構成される。
【０００５】
第２の実施形態において、システムは、インフラストラクチャシステムに含まれる通信システムと、少なくとも１つのクライアントと、データベースリポジトリとに動作可能に結合するように構成された、物理サーバを含む。物理サーバはさらに、通信システムを介して少なくとも１つのクライアントに会議サービスを提供し、通信システムからインフラストラクチャシステムの第１のステータスアップデートを受信し、少なくとも１つのクライアントから第２のステータスアップデートを受信するように構成される。物理サーバは、続いて第１のステータスアップデートおよび第２のステータスアップデートをデータベースリポジトリに送信するように構成される。データベースリポジトリは、第１のステータスアップデートおよび第２のステータスアップデートに基づいてインフラストラクチャシステムのグローバル状態をアップデートし、グローバル状態アップデートを第２のデータベースリポジトリおよび物理サーバに送信するように構成される。少なくとも１つのクライアントは、インフラストラクチャシステムの状態を表示し、複数のユーザおよび複数のユーザの各々についてのユーザステータスを表示するように構成される。複数のユーザの各々についてのユーザステータスは、それぞれのユーザについてのログインステータス、それぞれのユーザに関連づけられた通信アクションのリスト、またはその組み合わせを備える。少なくとも１つのクライアントはまた、物理サーバからグローバル状態アップデートを受信し、グローバル状態アップデートに基づいてインフラストラクチャシステムの状態の表示と複数のユーザおよび複数のユーザの各々についてのユーザステータスの表示とを変化させ、別のクライアントに通信可能に結合するように構成される。
【０００６】
第３の実施形態において、方法は、複数のクライアントと接続することと、通信システムを介して互いに通信可能に結合することを複数のクライアントに可能にさせるためのアプリケーションプログラミングインターフェース（ＡＰＩ）を提供することとを含む。提供されたＡＰＩはまた、複数のクライアントに会議電話をかけることと、通信システムを介してスマートグリッドインフラストラクチャシステムについてのステータスアップデートを送受信することとを、複数のクライアントに可能にさせる。方法はさらに、複数のクライアントのうちの接続されたクライアント間の通話ステータスを監視することと、接続されたクライアントにグローバル状態アップデートをブロードキャストすることとを含む。
【０００７】
本発明のこれらのおよび他の特徴、態様、および利点は、同一の符号が図面全体を通して同一のパーツを表す添付図面を参照しながら以下の詳細な説明を読むと、より良好に理解されるようになるであろう。
【図面の簡単な説明】
【０００８】
【図１】本アプローチの実施形態に係る、インフラストラクチャシステムのブロック図である。
【図２】本アプローチの実施形態に係る、図１のインフラストラクチャシステムのための管理対応システムのブロック図である。
【図３】本アプローチの実施形態に係る、図２の管理対応システム内のサイトのアーキテクチャのブロック図である。
【図４】本アプローチの実施形態に係る、図２の管理対応システム内のクライアントを使用するアクションを示す図である。
【図５】本アプローチの実施形態に係る、図２の管理対応システムにおけるオペレータシステムのための地理情報システム（ＧＩＳ）画面のスクリーンショットである。
【図６】本アプローチの別の実施形態に係る、図２の管理対応システムの地理情報システム（ＧＩＳ）の動作可能な画面のスクリーンショットである。
【図７】本アプローチの実施形態に係る、図２の管理対応システムを使用して停電に対応するための処理を示す図である。
【発明を実施するための形態】
【０００９】
本発明の１つ以上の特定の実施形態が以下に説明される。これらの実施形態の簡潔な説明を提供するために、実際の実装のすべての特徴が本明細書において説明され得るわけではない。任意のそのような実際の実装の開発では、任意の工学プロジェクトまたは設計プロジェクトと同様に、ある実装と別の実装とで異なり得るシステム関連の制約およびビジネス関連の制約の遵守といった開発者の特定の目標を達成するために、実装固有の多数の決定がなされなくてはならない、ということが理解されるべきである。さらに、そのような開発努力は、複雑で時間のかかるものであるかもしれないが、それにもかかわらず、本開示の恩恵を有する当業者にとっては、設計、製作、および製造のルーチン業務であろう、ということが理解されるべきである。
【００１０】
本発明のさまざまな実施形態の要素を導入する際、「一つの（ａ）」、「一つの（ａｎ）」、「前記（ｔｈｅ）」、および「前記（ｓａｉｄ）」といった冠詞は、要素が１つ以上存在することを意味するように意図される。「備える（ｃｏｍｐｒｉｓｉｎｇ）」、「含む（ｉｎｃｌｕｄｉｎｇ）」、および「有する（ｈａｖｉｎｇ）」といった用語は、包括的であるように意図され、列挙された要素以外の追加の要素が存在し得ることを意味する。「構成要素」という用語は、コンピュータ関連エンティティ、すなわち、ハードウェアとソフトウェアの組み合わせ、有形で非一時的な機械可読媒体に記憶されたソフトウェア、またはプロセッサ上で実行中のソフトウェア、のいずれかのことを言う。
【００１１】
本実施形態は、インフラストラクチャシステムを管理するためのシステムおよび方法に関する。具体的には、以下に説明される実施形態は、配電管理システム（ＤＭＳ）の機能を停電管理システム（ＯＭＳ）の機能と組み合わせて、いくつかの異なるタスクを終始同一のシステムを使用してより容易に実行することをユーザに可能にさせることができる、管理対応システムに関する。管理対応システムは、電気通信システムのような通信システムへのアドオンであることができ、別の個人またはエンティティとの通信を開始することをユーザに可能にさせ得、管理対応システムを使用して実行され得るタスクの数をさらに増やす。管理対応システムはまた、ユーザによるすべての通信アクションと通信アクションに関連づけられたコンテンツとをログ記録および分析し得る。分析されたデータは、今後の問題を導出するためのスマートトラブルシューティング、トレーニングモジュールへのデータの提供、自動監査報告書の作成、等といったさまざまな用途のために使用され得る。
【００１２】
以上に留意したところで、図１は、インフラストラクチャシステムの例としてのスマートグリッドシステム１０を示す。以下に開示される実施形態はスマートグリッドシステム１０に関し説明されるが、本明細書に説明されるシステムおよび方法が、クラウドコンピューティングインフラストラクチャシステム、空港インフラストラクチャシステム、輸送インフラストラクチャシステム、電気通信インフラストラクチャシステム、等といった他のタイプのインフラストラクチャシステムに適用され得ることが理解されるべきである。描かれているように、スマートグリッドシステム１０は、１つ以上のユーティリティ１２を含む。ユーティリティ１２は、スマートグリッドシステム１０の監督動作を提供する。たとえば、１つ以上のユーティリティ制御センター１４が、１つ以上の発電所１６および代替の発電所１８によって生産された電力を監視および統御し得る。発電所１６は、従来の発電所、たとえば、ガス、石炭、バイオマス、および燃料用の他の炭素質成品を使用した発電所を含み得る。代替の発電所１８は、太陽光発電、風力発電、水力発電、地熱発電、および他の代替の電力供給源（たとえば、再生可能エネルギー）を使用して電気を生産する発電所を含み得る。他のインフラストラクチャ構成要素は、水処理施設２０およびガス処理施設２２を含み得る。たとえば、水処理施設２０は、飲用水を提供し得、ガス処理施設２２は、天然ガスを提供し得る。
【００１３】
発電所１６および１８によって発電された電力は、送電グリッド２４によって配電され得る。同様に、施設２０および２２によって提供された水およびガスはそれぞれ、配水グリッド２６および配ガスグリッド２８によって供給され得る。グリッド２４、２６、および２８は、１つ以上の自治体、州、または国といった、広い地理的領域をカバーし得る。描かれている実施形態では、アドバンストメータリングインフラストラクチャ（ＡＭＩ）システム３０が、電気、水、およびガスの使用量を測定し、収集し、分析するために使用され得る。ＡＭＩシステム３０は、グリッド２４、２６、および２８を含むスマートグリッドシステム１０の構成要素の１つ以上に通信可能に結合され得る。加えて、ＡＭＩシステム３０は、顧客行動とユーティリティ消費（たとえば、電気、水、および／またはガスの消費）との間のリンクを提供する、商業用地３２、住宅３４、およびユーティリティ制御センター１４間の双方向通信を可能にし得る。たとえば、ＡＭＩメータ３０は、プリペイド式携帯電話の使用と同様の手法で、プリペイド式の電気、水、および／またはガスを追跡し、使途を明細に報告し得る。同様に、ユーティリティの顧客３２および３４は、彼らのユーティリティの使用を最適化して、たとえば、低需要時間帯中のより低い料金を利用することにより、より低い光熱費から利益を享受し得る。洗濯機および乾燥機、電気自動車の充電器、および他のフレキシブルな電力消費器具が、低需要時間帯中に動作するようにプログラムされ、より低い公共料金と、よりバランスの取れたエネルギーの利用を結果として生じ得る。
【００１４】
ある特定の構成要素（たとえば、発電システム１６、代替の発電システム１８、施設２０および２２、およびグリッド２４、２６、および２８）の動作を監視するために、スマートグリッドシステム１０は、管理対応システム３６を含み得る。管理対応システム３６は、図１に示されているように、停電管理システム３８および配電管理システム４０を組み込み得る。停電管理システム３８は、顧客またはＡＭＩ３０の構成要素（たとえば、スマートメータ）によって報告され得るスマートグリッドシステム１０内の停電イベントに対応し得る。ある特定の実施形態では、停電管理システム３８は、停電予測エンジンを使用して停電イベントを予測し得る。
【００１５】
配電管理システム４０は、電力、水、および／またはガスを、より少ない需要を経験する発電システム１６、代替の発電システム１８、および施設２０、２２から、より多い需要を経験する発電システム１６、代替の発電システム１８、および施設２０、２２へと再ルーティングし得る。ある特定の実施形態では、停電管理システム３８および配電管理システム４０は、互いに対話し得る。たとえば、停電イベント中、配電管理システム４０は、可能であれば、停電管理システム３８と協働して、影響を受ける顧客に電力、水、およびガスを再ルーティングし得る。
【００１６】
管理対応システム３６内で停配電管理システムの機能を組み合わせることにより、管理対応システム３６は、スマートグリッドシステム１０の管理および問題への対応の複雑性を減じることができる。管理対応システム３６はまた、複雑性を減じるために、他のタイプの管理システムを組み込み得る。しかしながら、ある特定の実施形態では、管理対応システム３６が、停電管理システム３８もしくは配電管理システム４０のいずれか、または両システム３８、４０によって提供される機能を含み得ることに注意すべきである。
【００１７】
ある特定の実施形態において、管理対応システムは、発電システム１６、代替の発電システム１８、施設２０および２２、グリッド２４の構成要素（たとえば、電線、変圧器、配電塔、等）、グリッド２６の構成要素（たとえば、水道管、弁、減圧弁、等）、グリッド２８の構成要素（たとえば、貯蔵タンク、ガス管、弁、等）、ＡＭＩ３０、商業用地３２、および住居用地３４の物理的な場所を提供するために使用される地理情報システム（ＧＩＳ）４２を含み得る。ＧＩＳ４２はまた、職員（たとえば、全世界測位システム（ＧＰＳ）ケイパビリティを有する会社支給の携帯電話を携行する作業員メンバー）についての物理的な場所を提供し得る。物理的な場所の情報は、たとえば、停電管理システム３８および配電管理システム４０によって停電問題を予測および解消するために使用され得る。加えて、ＧＩＳ４２は、地図または他の適切な視覚媒体（たとえば、地球儀、海図、等）上でさまざまな場所を視覚化するために使用され得る。管理対応システム３６はまた、課金情報、電気使用量情報、水使用量情報、ガス使用量情報、課金率、等を含む、顧客情報（たとえば、用地３２および３４）を提供するための顧客情報システム４４を含み得る。さらに、管理対応システム３６は、電話回線による顧客要求の処理に適した自動音声認識およびメニューナビゲーションを提供するための対話型音声応答システム４６を含み得る。
【００１８】
図１に描かれ、以下に説明されるように、管理対応システム３６は、構内交換機（ＰＢＸ）電気通信システム４８を含み得る。ＰＢＸシステム４８は、ＰＢＸ機能を実装し得る内線電話として、モバイルデバイス（たとえば、携帯電話、タブレット、ネットブック、ノートブック、等）を配備するのに適した、モバイルＰＢＸの実施形態を含み得る。ＰＢＸシステム４８は、インターネットプロトコルを介した通信に適したインターネットプロトコルＰＢＸ（ＩＰ−ＰＢＸ）機能を含み得る。あるいは、または加えて、管理対応システム３６は、標準的な電話回線を使用する電気通信システム、ボイスオーバーインターネットプロトコル（ＶＯＩＰ）、専用テレカンファレンスシステム、またはそれらの組み合わせを含む、他のタイプの通信システムを含み得る。他の実施形態において、管理対応システム３６は、それが管理システム（たとえば、停電管理システム３８または配電管理システム４０）のためのアドオンまたはレトロフィットであるように設計され得る。
【００１９】
一実施形態において、管理対応システム３６は、図２に示されているように、相互接続されたサイト５０のグループとして配列され得る。各々のサイト５０は、上述されたように、ＰＢＸ電話システム４８と、および、あるいは、または加えて、他の通信システムと、動作可能かつ通信可能に結合される。各々のサイト５０は、物理サーバ５２、データベースシステム５４、および少なくとも１つのクライアント５６を含み得る。さらに、いくつかのサイト５０は、オペレータシステム５７を含み得る。
【００２０】
物理サーバ５２およびデータベースシステム５４はどちらも、メモリと、他の構成要素、システム、およびデバイスへの通信リンクとを含む。メモリは、大容量記憶装置（たとえば、ディスクベースのメモリ）、フラッシュメモリ、リムーバブルメモリ、または、物理サーバ５２もしくはデータベースシステム５４を実行するための命令の記憶またはデータの記憶に適した任意の他の非一時的なコンピュータ可読媒体であり得る。サーバ５２およびデータベースシステム５４はまた、サーバ５２およびデータベースシステム５４のメモリに記憶されたコンピュータ命令を実行するのに適した１つ以上のプロセッサを含み得る。通信リンクは、物理サーバ５２に他の構成要素、システム、およびデバイスとの通信を可能にさせる、任意の有線（たとえば、有線電気通信インフラストラクチャ、またはイーサネット（登録商標）を用いたローカルエリアネットワーク）または無線（たとえば、セルラーネットワーク、または８０２．１１ｘ  Ｗｉ−Ｆｉネットワーク）接続であり得る。
【００２１】
上述されているように、物理サーバ５２はまた、プロセッサを含む。プロセッサは、たとえば、計算および処理タスクを実行するのに適した汎用のシングルチップまたはマルチチッププロセッサであり得る。加えて、プロセッサは、特定用途向けプロセッサまたは回路といった任意の従来の専用プロセッサであり得る。プロセッサおよび他のデータ処理回路は、物理サーバ５２を実行するための命令を実行するために、メモリに動作可能に結合され得る。これらの命令は、メモリに記憶され、プロセッサによってアクセスおよび実行される、プログラムにおいてコード化され得る。いくつかの実施形態において、データベースシステム５４はまた、データの記憶および検索に関連するタスク（たとえば、データベースに記憶された一意のユーザＩＤ番号の検索またはデータのログの出力）を実行するための、それ自身のプロセッサを含み得る。他の実施形態では、データベース５４は、それ自身のプロセッサを含まないことができ、物理サーバ５２のメモリの拡張であり得る。
【００２２】
クライアント５６は、ユーザ（たとえば、オペレータまたはユーティリティディスパッチャ）が管理対応システム３６と対話するために利用する、デバイスまたはシステム（たとえば、ワークステーション、コンピュータシステム、携帯電話、タブレット、モバイルデバイス、等）を含み得る。クライアント５６は少なくとも、プロセッサ、メモリ、ディスプレイ、ユーザ入力デバイス、および通信リンクを含む。プロセッサ、メモリ、および通信リンクは、物理サーバ５２およびデータベース５４に関し上述されたものと同様であり得る。ディスプレイおよびユーザ入力デバイス（たとえば、キーボード、マウス、タッチスクリーン、ジェスチャ入力デバイス、等）は、ユーザに管理対応システム３６との対話を可能にさせる。管理対応システム３６内の各々のクライアント５６は、特定のサイト５０に割り当てられ得る。クライアント５６のためのサイトの割り当ては、静的または動的な性質であり得る。たとえば、クライアント５６のためのサイトの割り当ては、予め定義されたサービス領域に基づいて永続的に割り当てられ得るか、または、クライアント５６の特定の物理サーバ５２への近接に基づいて変化し得る。
【００２３】
ある特定の実施形態において、クライアント５６はユーザに、ウェブブラウザを介して管理対応システム３６の一部または全部にアクセスすることを可能にさせる。たとえば、オペレータまたはユーティリティディスパッチャは、クライアント５６に動作可能に結合された安全なウェブサイトへのユニフォームリソースロケータ（ＵＲＬ）を提供され得る。他の実施形態において、クライアント５６はユーザに、デバイス上にインストールされ、ウェブブラウザの外部で実行され得る、アプリケーション（たとえば、クライアント５６として動作するモバイル「アプリ」）を介して管理対応システム３６の一部または全部にアクセスすることを可能にさせる。さらなる他の実施形態において、クライアント５６はユーザに、ウェブブラウザと、デバイス上にインストールされかつウェブブラウザの外部で実行され得るプログラムとを介して、管理対応システム３６の一部または全部にアクセスすることを可能にさせ得る。結果として、管理対応システム３６がアクセスされる手法は、エンドユーザのニーズおよび要望、ならびに管理対応システム３６にアクセスするために使用されているデバイスのタイプに依存し得る。
【００２４】
オペレータシステム５７は、オペレータおよびユーティリティディスパッチャに適合させられているクライアント５６の特殊バージョンである。すなわち、オペレータシステム５７は、オペレータおよびユーティリティディスパッチャに作業員メンバーのような他のユーザには必ずしも入手可能なわけではない顧客の課金情報のようなある特定の情報を示すように変更され得る。別段の指定がない限り、クライアント５６に関連して説明された特徴のすべてがオペレータシステム５７にも適用されることに注意すべきである。
【００２５】
各々のサイト５０のために、物理サーバ５２は、そのサイトのための「センター」またはプライマリサーバとして設計され得る。すなわち、ＰＢＸ電話システム４８、データベース５４、クライアント５６、およびオペレータシステム５７はすべて、物理サーバ５２によって提供されるある特定の機能を活用し得るアプリケーションプログラミングインターフェース（ＡＰＩ）５９を介して物理サーバ５２と通信し得る。さらに、以下においてさらに詳細に説明されるように、管理対応システム３６の主要な変化およびアップデートはすべて、物理サーバ５２から発せられ得る。
【００２６】
上述されたように、各々のサイト５０は、ＰＢＸ電話システム４８に動作可能かつ通信可能に結合される。特に、各々のサイト５０の物理サーバ５２は、図３に示されているごとく、ＰＢＸ電話システム４８に結合され得る。たとえば、物理サーバ５２は、動作中にＰＢＸ電話システム４８に結合され得る。加えて、ＰＢＸシステムは、ユーティリティ会社のコールセンターと通信可能に結合され得る。物理サーバ５２は、図３に描かれているように、ＰＢＸ電話システム４８からステータスアップデート５８を受信する。ＰＢＸ電話システム４８からのステータスアップデート５８は、各々のユーザの電話の状態（たとえば、利用不可能、ビジー、いつでも接続できる、等）、任意の進行中の通話の持続時間、ボイスメールの数およびコンテンツ、等を含み得る。すなわち、ステータスアップデート５８は、ＰＢＸ電話システム４８を含む任意の通信アクションだけでなく、通信アクションに関連づけられた任意のコンテンツを含み得る。同様に、物理サーバ５２は、クライアント５６からもステータスアップデート５８を受信する。クライアント５６からのステータスアップデート５８は、任意のタイプの通信アクションと、通信アクション（たとえば、電子メール、掲示板メッセージ、フォーラムへの投稿、チャット、等）に関連づけられたコンテンツとを含む。クライアント５６からのステータスアップデート５８はまた、特定のユーザのログインステータスといった認証情報を含み得る。
【００２７】
ステータスアップデート５８の受信に加えて、物理サーバ５２はまた、特定のアクションを実行するための要求６０を１つ以上のクライアント５６から受信し得る。たとえば、物理サーバ５２は、掲示板にメッセージを投稿するための、または、２人以上のユーザ間で電話またはテレビ会議通話を開始するための、要求６０を受信し得る。要求６０のタイプに依存して、物理サーバ５２は、自身で要求を満たし得るか、または、（たとえば、チャット会話、電話会議通話、テレビ会議通話、等を開始する）要求を適切なクライアント５６にルーティングし得るか、のいずれかである。さらに、いくつかの要求６０は、物理サーバ５２をバイパスし、意図された受信者に直接送られ得る（たとえば、電子メールまたはＰＢＸ電話システム４８によってホストされるＶＯＩＰ通話）。そのような状況において、要求６０はさらに、ＡＰＩ５９を使用して意図された受信者に送られ得る。たとえば、オペレータシステム５７は、ＡＰＩ５９を使用して、ＰＢＸ電話システム４８を動作させ、複数のクライアント５６への会議通話を開始し得る。
【００２８】
物理サーバ５２は、データベース５４のアップデート、または後の分析のためのデータ保存、のいずれかのために、任意のアップデート、要求、およびデータをデータベース５４に送り得る。たとえば、物理サーバ５２は、ステータスアップデート５８をデータベース５４に転送し得る。ある特定のタイプの要求６０もまた、物理サーバ５２によってデータベース５４に転送され得る一方で、他のタイプの要求６０については、関連づけられた情報が、ステータスアップデート５８に含まれる。
【００２９】
物理サーバ５２はまた、図３に示されているように、通信アクションのすべて、および通信アクションに関連づけられたコンテンツを分析し得る。特に、物理サーバ５２は、通信アクションおよびコンテンツを、通信アクションまたはコンテンツが生じている現在の状況を説明するコンテキストデータにタグ付けするかまたは関連づけ得る。たとえば、電子メールのコンテンツは、解消中の問題、関与する職員および機器、通信アクション（すなわち、電子メール）、タイムスタンプ、および他の関連するコンテキストデータにタグ付けされるかまたは関連づけられ得る。タグをどのように導出するかを決定するために、物理サーバ５２は、通信アクション、コンテンツ、ユーザによってとられた他のアクション、およびユーザによって生成された他のタイプのコンテンツを分析する。他の実施形態では、以下に説明されるように、物理サーバ５２は、クライアント５６によって受信されたユーザ入力に応じて、通信アクションまたはコンテンツをタグ付けまたは分析し得る。物理サーバ５２は続いて、以下において説明されるごとくのクライアント５６によって実行されるスマートトラブルシューティング、トレーニングモジュール、監査、等といったさまざまな用途のために利用され得るパターンを識別するために、タグ付けおよび分析されたデータをレビューし得る。さらに、物理サーバ５２は、識別されたパターンを改善するために、機械学習アルゴリズム（たとえば、ニューラルネットワーク、ベイズ統計、事例ベース推論、等）を利用し得る。通信アクションは、電話会議通話、テレビ会議通話、電子メール、ショートメッセージングサービス（ＳＭＳ）／テキストメッセージ、チャットメッセージ、掲示板への投稿、フォーラムへの投稿、等を含み得る。
【００３０】
データベース５４は、ステータスアップデート５８および要求６０を受信および記憶し、ステータスアップデート５８および要求６０における情報に基づいて、管理対応システム３６のグローバル状態をアップデートする。管理対応システム３６のグローバル状態は、全体として管理対応システム３６にとって重要であり得る任意の情報を反映し得る。たとえば、グローバル状態は、すべての物理サーバ５２のリスト、それらがどのデータベース５４と通信するか、全ユーザのリストおよび関連づけられたログインステータス、各々のユーザについての利用可能性ステータス、および公開されているすべての通信（たとえば、掲示板メッセージ）を含み得る。
【００３１】
グローバル状態の変化があった場合、データベース５４は、図３に描かれているように、グローバル状態アップデート６２によってサイト５０内の物理サーバ５２に通知する。サイト５０が続いて、グローバル状態アップデート６２をクライアント５６に送信し得る。ある特定の実施形態では、物理サーバ５２が、ステータスアップデート５８に基づいてグローバル状態の変化があるかどうかを決定し得、データベース５４は単に、それが管理対応システム３６のグローバル状態をアップデートしたことを確認する。他の実施形態では、物理サーバ５２が、ステータスアップデート５８をデータベース５４に継続的に送り得、データベース５４が、グローバル状態の変化があるか否かを決定する役割を担う。データベース５４が対応する物理サーバ５２に通知すると、データベース５４が、図３に示されているように、管理対応システム３６内の他のサイト５０のデータベース５４にグローバル状態アップデート６２を送信する。あるいは、または加えて、物理サーバ５２が、グローバル状態アップデート６２を他の物理サーバ５２に送信し得、他の物理サーバ５２が続いて、それらの対応するデータベース５４にグローバル状態アップデート６２を送信し得る。データは、さまざまな技法を使用してサイト間でレプリケートされ得る。たとえば、データベースシステム５４は、複数のデータベースシステム５４全体にわたるデータのアップデートとデータの一貫性の維持とに適した、パブリッシュ／サブスクライブ技法、データプッシュ技法、データプル技法、等といったデータレプリケーション技法を含み得る。サーバ５２はまた、サイト５０間でデータのアップデートおよび一貫性を維持するために、たとえば、共有メモリ、プロセス間通信（ＩＰＣ）、メッセージパッシング、等を使用することにより、互いに通信し得る。
【００３２】
上述されているように、クライアント５６は、管理対応システム３６と対話するためにユーザによって使用され得る。特に、クライアント５６は、図４に示されているように、ユーザがさまざまなタスクを実行し得るいくつかの異なる画面を提示し得る。たとえば、ユーザが初めて管理対応システム３６にアクセスする場合、クライアント５６は、ユーザが彼または彼女の認証クレデンシャルを入力し得るログイン画面６６を提示し得る。ログインすると、ユーザは続いて、メニュー画面６８を提示され得、メニュー画面６８は、通信を開始すること（たとえば、電子メールを送ること、掲示板メッセージを投稿すること、等）、スマートグリッドシステム１０の状態を見ること（たとえば、停電を見ること）、分析されたデータを見ること、人またはグループと通話すること（テレビ会議を含む）、等といった、ユーザがとり得るさまざまなアクションをリストし得る。
【００３３】
メニュー画面６８にリストされた各々のアクションは、クライアント５６に別のタイプの画面を提示するように促し得る。たとえば、「通信を開始する」というアクションの選択は、連絡先画面７０と同様の画面を促し得、連絡先画面７０は、ユーザのための連絡先だけでなく、ユーザのログイン（たとえば、ログインまたはログアウト）状態、連絡先に関連づけられた任意の通信技法についての利用可能性ステータス（たとえば、使用不可能、ビジー、アクティブ、等）をリストする。図４に描かれているように、連絡先画面７０内の要素およびアイコンの視覚表現は、ある特定の通信方法を使用するユーザの利用可能性を示し得る。たとえば、電話アイコン７２は、ユーザが連絡先と通話し得ることを示すために、大抵の場合は垂直であり得る一方で、電話アイコン７２は、連絡先がすでに通話中であることを示すために、大抵の場合は水平であり得る。別の例では、特定の連絡先のための電子メールアイコン７４の欠如は、ユーザがこれから電子メールアドレスを連絡先に関連づけようとしていることを示し得る。ユーザは、連絡先のための通信方法を選択し得、それがクライアント５６に、上述されたごとく、通信を開始するための要求６０を物理サーバ５２、ＰＢＸ電話システム４８、または別のクライアント５６に送るように促す。
【００３４】
別の例では、「停電を見る」というアクションの選択が、ＧＩＳ画面７６と同様の画面を促し得、ＧＩＳ画面７６は、スマートグリッドシステム１０内の任意の報告されたまたは疑われる停電の地理学的ビューおよび関連づけられた情報を表示し得る。理解されるように、ＧＩＳ画面７６は、停電管理システム３８およびＧＩＳ４２によって生成され得る。ある特定の実施形態において、ＧＩＳ画面７６はまた、人的資源および物理資源とそれらの利用可能性との地理学的ビューを含み得る。
【００３５】
図４に描かれたＧＩＳ画面７６は、典型的なユーザ（たとえば、作業員メンバー）のＧＩＳ画面７６を表し得る。しかしながら、オペレータシステム５７を使用するオペレータまたはユーティリティディスパッチャは、図５に描かれたものと同様の、向上したケイパビリティを含み得る、ＧＩＳ画面７６を見ることができる。たとえば、ＧＩＳ画面７６は、図５に示されているように、スマートグリッドシステム１０の地理的ビュー７３ならびに連絡先画面７０に関連して上述されたものと同様の連絡先リスト７１の両方を表示し得る。別の実施形態では、ＧＩＳ画面７６は、図６の画面に類似し得、図６の画面では、画面が、解消されていない問題（たとえば、停電）を含むスマートグリッドシステム１０の地理的ビュー７３を表示する。解消されていない問題の物理的な場所を示すマーカー７５の外形（すなわち、図６では円）はまた、解消されていない問題の属性を示し得る。たとえば、図６における円形マーカー７５のサイズは、解消されていない問題によって影響を受ける顧客の数に比例する。他の実施形態では、マークの外見は、解消されていない問題に関連づけられた危険レベルまたは解消されていない問題の持続時間といった、解消されていない問題の他の属性を示し得る。さらに、ＧＩＳ画面７６は、セマンティックズームメカニズムを含み得、セマンティックズームメカニズムでは、ＧＩＳ画面７６に表示される解消されていない問題についての情報の量およびタイプが、画面７６のズームレベルに依存する。
【００３６】
上述されているように、クライアント５６は、問題またはイベントへの対応中に「スマート」トラブルシューティングを実行し得る。たとえば、停電中、クライアント５６は、停電を解消するために連絡すべき最良の個人（および個人のリスト）、利用可能な最良の通信技法（および通信技法のリスト）を決定し得る。問題をトラブルシューティングする際、クライアント５６はその決定を、問題のタイプ、問題の場所、作業員の専門知識、作業員の割り当て、機器およびツールの利用可能性、等に基づかせ得る。特に、クライアント５６は、物理サーバ５２と協働して、特性（たとえば、問題のタイプ、作業員の専門知識、機器およびツールの利用可能性、等）を目前の問題と共有する、分析データをレビューし得る。続いて、物理サーバ５２が、共有された特性と上述された識別された対応パターンとに基づいて、連絡すべき最良の個人（単数または複数）を推奨し得る。物理サーバ５２はまた、連絡先のステータスに基づいて、最良の通信技法（単数または複数）または利用可能な通信技法を推奨し、たとえば、連絡先が現在通話中である場合にはチャットまたは電子メールを推奨する。さらに、いくつかの実施形態では、物理サーバ５２が、連絡先のログインステータス（すなわち、彼または彼女がシステムにログインしているかまたはログアウトしているか）ならびに連絡先のスケジュール（たとえば、彼または彼女が問題を解消するのに十分な長さの勤務をスケジューリングされているか）に基づいて、連絡すべき最良の個人（単数または複数）を推奨し得る。
【００３７】
クライアント５６はまた、図４のメニュー画面６８に描かれているように、分析およびタグ付けされたデータを見ることをユーザに可能にさせ得る。さらに、ある特定の実施形態では、ユーザが、クライアント５６を利用して、物理サーバ５２によってログ記録された通信アクションおよびコンテンツをタグ付けまたは分析し得る。たとえば、ユーザは、通信アクションおよび関連づけられたコンテンツを、対応する問題、イベント、必要とされる専門知識、物理資源要件（たとえば、必要とされる新たな変圧器の数）、等にタグ付けし得る。いくつかの実施形態において、ユーザは、クライアント５６を利用して、分析された通信アクションおよびコンテンツを含む報告を作成し得る。
【００３８】
クライアント５６がユーザに、管理対応システム３６内で通信を行うことを可能にさせる一方で、時に、進行中の通信を緊急ニュースによって中断する必要があり得る。たとえば、上級職のマネージャが、オペレータ、ユーティリティディスパッチャ、および作業員メンバーに彼らが自然災害警報に起因した特定の領域における停電に対しより慎重に対応すべきであることを通信することを望み得る。進行中の通信に優先する緊急通信を送るために、クライアント５６は、通信アクションを優先順位レベルおよびユーザの権限レベルに関連づけ得る。すなわち、管理対応システム３６をセットアップする際に、各々のユーザは、彼または彼女のポジション（たとえば、オペレータ）および会社内の責任に基づいて、権限レベルを割り当てられ得る。特定の権限レベルを満たすかまたは超えるユーザは続いて、高優先順位として指定された大量のアラートを他のユーザに送り得る。クライアント５６が続いて、選択された通信アクションを実行し、必要に応じて、他の個人との間の任意の進行中の通信（たとえば、通話）を中断し得る。先の例を続けると、上級職のマネージャは、緊急の用件を詳述したテキストメッセージを高優先順位の通信アクションとして指定し得る。高優先順位のテキストメッセージは、各々の受信者に関連づけられたクライアント５６上で、すべて自動表示され得る。このように、インフラストラクチャの問題に対するより効率的な対応が好ましく用いられ得る。
【００３９】
図７は、管理対応システム３６を使用して停電に対応するための処理８０の実施形態を描く。処理８０は、クライアント５６、５７および／またはサーバ５２のメモリに記憶され、それらのそれぞれのプロセッサによって実行可能な、コンピュータ命令として実装され得る。加えて、示されたステップは、同時にまたは異なる順序で実行され得る。さらに、ステップは特定のデバイスまたはシステム上でまたは特定のデバイスまたはシステムによって実行されるものとして以下に説明されるが、必要な機能を備えた別のデバイスまたはシステムによってステップが実行され得ることが理解されるべきである。停電に対応するための方法８０が管理対応システム３６のための複数の使用の一例にすぎないことにもまた、注意すべきである。
【００４０】
ブロック８２に始まり、オペレータがスマートグリッドシステム１０内の停電を位置特定し得、停電は、上述されたように、顧客またはＡＭＩメータ３０のような機器によって報告され得る。特に、オペレータシステム５７が、図６に関し上述されたように、各々の停電の物理的な場所を含むＧＩＳ画面７６を表示し得る。ブロック８４では、オペレータが続いて、どの停電に対処すべきかを選択する。すなわち、複数の停電について、オペレータは、停電対応をトリアージまたは優先順位付けし得る。オペレータの選択は、各々の停電の実際の影響および潜在的な影響（たとえば、影響を受ける人々の数、浪費されるエネルギーおよび電力の量、危険レベル、等）に基づき得る。この情報のいくつかは、上述されたように、ＧＩＳ画面７６内に表示され得る。
【００４１】
ブロック８６では、オペレータシステム５７および物理サーバ５２が、停電を解消し得るかまたは停電を解消するために使用され得る、人的資源および物理資源を、分析されたメタデータ（たとえば、問題の場所、資源の場所、作業員の専門知識、作業員の割り当て、機器の利用可能性、等）を使用して決定することにより、何らかのトラブルシューティングを実行し得る。ある特定の実施形態では、人的資源および物理資源の一部または全部が、上述されたように、ＧＩＳ画面７６内に表示され得る。次に、ブロック８８では、オペレータシステム５７が、上述されたように、停電を解消するために連絡すべき最良の個人および利用可能な最良の通信方法を表示する。
【００４２】
最後に、ブロック９０では、オペレータが、オペレータシステム５７を使用して、作業員のリーダーまたはメンバーとの通信（たとえば、通話、チャット、電子メール、ＳＭＳ／テキスト、等）を開始し得る。たとえば、オペレータが通話を開始することを選んだ場合、オペレータシステム５７は続いて、ＰＢＸシステム４８を使用してボイスオーバーＩＰ会議通話を開始し得る。物理サーバ５２が続いて、上述されたように、通信アクションおよびコンテンツをログ記録および分析し、状態の変化を反映するように更新し得る。
【００４３】
本実施形態の技術的効果は、インフラストラクチャシステムを管理するためのシステムおよび方法を含む。ある特定の実施形態は、ユーザに１つのシステムおよびデバイスのセットを使用したさまざまなタスクの実行を可能にさせる。たとえば、本管理対応システムは、配電管理システム（ＤＭＳ）の機能を停電管理システム（ＯＭＳ）の機能と組み合わせ得る。管理対応システムはまた、電気通信システムのような通信システムへのアドオンであることができ、別の個人またはエンティティとの通信を開始することをユーザに可能にさせ得、管理対応システムを使用して実行され得るタスクの数をさらに増やす。さらに、管理対応システムはまた、ユーザによるすべての通信アクションおよび通信アクションに関連づけられたコンテンツをログ記録および分析し得る。分析されたデータは、今後の問題を導出するためのスマートトラブルシューティング、トレーニングモジュールへのデータの提供、自動監査報告書の作成、等といったさまざまな用途のために使用され得る。本明細書における技術的効果および技術的課題は、例示であって限定ではない。本明細書において説明された実施形態は、他の技術的効果を有することができ、他の技術的課題を解決することができる、ということに注意すべきである。
【００４４】
記載されたこの説明は、ベストモードを含む発明を開示し、また、任意のデバイスまたはシステムの製造および使用と組み込まれた任意の方法の実行とを含む発明の実現をいずれの当業者にも可能にさせるための、例を使用する。本発明の特許可能な範囲は、請求項によって定義され、当業者が想到する他の例を含み得る。そのような他の例は、それらが請求項の文字通りの言語と異ならない構造要素を有する場合、または、それらが請求項の文字通りの言語との実質的な差を有しない均等な構造要素を含む場合、請求項の範囲内であるように意図される。
【符号の説明】
【００４５】
１０  スマートグリッドシステム
１２  ユーティリティ
１４  ユーティリティ制御センター
１６  発電所、発電システム
１８  代替の発電所、代替の発電システム
２０  水処理施設
２２  ガス処理施設
２４  送電グリッド
２６  配水グリッド
２８  配ガスグリッド
３０  アドバンストメータリングインフラストラクチャ（ＡＭＩ）、ＡＭＩシステム、ＡＭＩメータ
３２  商業用地
３４  住宅、住宅用地
３６  管理対応システム
３８  停電管理システム
４０  配電管理システム
４２  地理情報システム（ＧＩＳ）
４４  顧客情報システム
４６  対話型音声応答システム
４８  構内交換機（ＰＢＸ）電気通信システム、ＰＢＸシステム、ＰＢＸ電話システム
５０  サイト
５２  物理サーバ、サーバ
５４  データベースシステム、データベース
５６  クライアント
５７  オペレータシステム
５８  ステータスアップデート
５９  アプリケーションプログラミングインターフェース（ＡＰＩ）
６０  要求
６２  グローバル状態アップデート
６６  ログイン画面
６８  メニュー画面
７０  連絡先画面
７１  連絡先リスト
７２  電話アイコン
７３  地理的ビュー
７４  電子メールアイコン
７５  マーカー
７６  ＧＩＳ画面
８０  処理
８２  ブロック
８４  ブロック
８６  ブロック
８８  ブロック
９０  ブロック
【図１】
2015233278.tif 000003
【図２】
2015233278.tif 000004
【図３】
2015233278.tif 000005
【図４】
2015233278.tif 000006
【図５】
2015233278.tif 000007
【図６】
2015233278.tif 000008
【図７】
2015233278.tif 000009
【外国語明細書】
2015233278000001.pdf